(57)【要約】【課題】セグメントとセグメントとの間を通る配線パターンの本数を減らすとともに、セグメント数の増加を最小限に抑えつつ、セグメントとセグメントとの隙間を埋めることができ、バランスのよい適切な文字表示ができる多セグメント表示器を提供する。【解決手段】多数のセグメントにより文字を表示するように構成した多セグメント表示器において、多セグメントの中心部にドットセグメント１を１つ設けて、セグメントラインおよびコモンラインの配線パターンの本数を減らすように構成している。【選択図】        図１
2004279744.tif 000002
【特許請求の範囲】
【請求項１】
多数のセグメントにより文字を表示するように構成した多セグメント表示器において、
多セグメントの中心部にドットセグメントを１つ設けて、セグメントラインおよびコモンラインの配線パターンの本数を減らすように構成したことを特徴とする多セグメント表示器。
【請求項２】
前記ドットセグメントは、表示する文字を構成する線が中心部を通る文字を表示するときに点灯させるように構成したことを特徴とする請求項１記載の多セグメント表示器。
【請求項３】
前記ドットセグメントは、数字および英文字を表示するユニオンジャックパターンの中央部分に配置されたセグメントとセグメントの間の中心部に設けたことを特徴とする請求項１又は２記載の多セグメント表示器。
【発明の詳細な説明】
【０００１】
【発明の属する技術分野】
本発明は、多数のセグメントにより数字や英文字などを表示する多セグメント表示器に関する。
【０００２】
【従来の技術】
従来、液晶による表示器は、多数のセグメントを備え、それらの多数のセグメントから選択された所定の組み合わせのセグメントを点灯することによって、数字や英文字などの表示を行なっていた。（例えば、特許文献１参照）
【０００３】
この液晶の表示器は、セグメントラインとコモンラインが交差した所が点灯するように構成されていた。例えば、１４セグメント表示の場合は、図３に示すように、セグメントラインＳ１〜Ｓ５の５本と、コモンラインＣ１〜Ｃ３の３本で表示させることができる。
【０００４】
上記液晶表示のデザインとして、例えば、図４に示すように、液晶表示部Ａを絵やキャラクタ部Ａ１と１４セグメント部Ａ２とで構成されている場合、絵やキャラクタ部Ａ１をより多く充実した内容にするためには、多くのセグメントラインが必要となる。
【０００５】
しかし、図５に示すように、液晶表示部Ａを駆動している液晶ドライバなどの駆動回路Ｂの仕様により、設けることができるセグメントの数には限度がある。そこで、限られたセグメントの数で液晶表示部Ａ全体の表示を成立させるために、図４の１４セグメント部Ａ２に割り当てるセグメントの数を減らして、図６（ａ）に示すように、セグメントラインＳ１〜Ｓ３の３本と、コモンラインＣ１〜Ｃ５の５本で１４セグメントのパターンを構成していた。
【０００６】
【特許文献１】
特公平６−８６２８号公報（第１頁−３頁、第２図）
【０００７】
【発明が解決しようとする課題】
図６（ａ）に示すように構成した従来の多セグメント表示器にあっては、セグメントとセグメントの間を通るセグメントラインやコモンラインのパターンが多くなり、パターンの幅やパターンとパターンとのクリアランス、あるいはパターンとセグメントとのクリアランスを確保する必要があるため、結果として、図６（ｂ）に示すように、中央部分ａが広く空いてしまい、全体的にバランスの悪い１４セグメント表示になるという問題点があった。
【０００８】
図６（ｂ）のように、中央部分ａが広く空いた１４セグメント表示は、１４セグメント表示自体が大きく構成されている場合はそれほど目立たないが、表示サイズが小さくなるほど、表示部分のバランスが悪く目立ち、数字や文字の視認が難しくなるという問題点があった。
【０００９】
上記図６（ｂ）のように中央部分ａのスペースを広く取る必要がある理由としては、図７に示すように配線を行なえば一ヶ所に配線が密集することもなく、パターンの引き回しも少なく効率が良いが、図７の中心部に示す丸印ｂで囲んだ部分からも明らかなように、点灯部以外の箇所で、セグメントラインＳ２とコモンラインＣ３とが中心部で交差してしまうという問題点があった。この問題点を避けるための配線を行なうと、図６（ａ）に示すような一ヶ所にパターンが集中する配線となり、特に、中央部分ａに隙間が空いてしまうという問題点があった。
【００１０】
本発明は、従来の技術に有するこのような問題点に鑑みてなされたものであって、その目的とするところは、セグメントとセグメントとの間を通る配線パターンの本数を減らすとともに、セグメント数の増加を最小限に抑えつつ、セグメントとセグメントとの隙間を埋めることができ、バランスのよい適切な文字表示ができる多セグメント表示器を提供することにある。
【００１１】
【課題を解決するための手段】
上記の目的を達成するために、本発明の多セグメント表示器においては、多数のセグメントにより文字を表示するように構成した多セグメント表示器において、多セグメントの中心部にドットセグメントを１つ設けて、セグメントラインおよびコモンラインの配線パターンの本数を減らすように構成している。
【００１２】
また、上記ドットセグメントは、表示する文字を構成する線が中心部を通る文字を表示するときに点灯させるように構成することが効果的である。
【００１３】
さらに、上記ドットセグメントは、数字および英文字を表示するユニオンジャックパターンの中央部分に配置されたセグメントとセグメントの間の中心部に設けることが好ましい。
【００１４】
【発明の実施の形態】
本発明の実施の形態を実施例にもとづき図面を参照して説明する。
図１（ａ）は、Ａ〜Ｚのアルファベットを表示することが可能な、いわゆるユニオンジャックパターンを構成した１４セグメント表示器のセグメントの配置を示す図である。また、図１（ｂ）は、図１（ａ）の１４セグメント表示器の配線パターンを示す図である。
【００１５】
この図１（ａ）および図１（ｂ）に示す１４セグメント表示器の特長としては、ユニオンジャックパターンを構成する１４セグメントの中心部にドットセグメント１を設けたことにある。このドットセグメント１は、ユニオンジャックパターンの中央部分に配置された各セグメント２〜９で囲まれた中心部に設けられている。
【００１６】
そして、このドットセグメント１には、セグメント６から伸びるセグメントラインＳ２が接続され、さらに、このドットセグメント１を介してセグメントラインＳ２がセグメント２へ伸びて接続している。一方、セグメント４から伸びるコモンラインＣ３は、ドットセグメント１へ接続され、さらに、ドットセグメント１を介してコモンラインＣ３がセグメント８へ伸びて接続されている。
【００１７】
したがって、本実施の形態によれば、図１（ｂ）に示すように、セグメントとセグメントとの間に配線パターンが密集することなく配線を行なうことができ、また、比較的少ない本数の配線パターンで数字や文字等を表示することができる。
【００１８】
また、ドットセグメント１において、セグメントラインＳ２とコモンラインＣ３とが交差しているため、アルファベット表示の例えば、Ａ、Ｂ、Ｘ、Ｙの文字のように、文字を構成する線が中心部を通るアルファベット文字を表示するときに、点灯させることができる。
【００１９】
したがって、本実施の形態によれば、１４セグメントの中心部に設けたドットセグメント１によって、セグメント２〜９のクリアランスを小さくすることができ、結果的に、より判別しやすいアルファベット文字を表示することができる。
【００２０】
また、上記のように多セグメント表示器を構成することによって、図２に示すように、横に連続した１４セグメント表示にも対応することができる。
【００２１】
なお、本実施の形態においては、１４セグメント表示の中心部にドットセグメントを設けた場合について説明したが、１４セグメントに限定されるものではない。
【００２２】
【発明の効果】
本発明は、以上説明したように構成されているので、セグメントとセグメントの間の中心部において配線パターンが密集することなく配線を行なうことができるとともに、比較的少ない配線パターンで数字や文字を表示することができる。また中心部におけるセグメント間のクリアランスを小さくすることができ、バランスのよい判別しやすい文字等を表示することができる。
【図面の簡単な説明】
【図１】本発明の実施の形態のアルファベット表示のセグメントの配置図である。
【図２】本発明の実施の形態のアルファベット表示を横に連続して配置した場合の一例を示すセグメントの配置図である。
【図３】従来のアルファベット表示のセグメントの配置図である。
【図４】従来の表示部の配置例を示す説明図である。
【図５】従来の表示部の構成を示すブロック図である。
【図６】従来のアルファベット表示のセグメントの配置図である。
【図７】従来のアルファベット表示のセグメントの配置図である。
【符号の説明】
１          ドットセグメント
２〜９      セグメント
Ｓ１〜Ｓ５  セグメントライン
Ｃ１〜Ｃ５  コモンライン
Ａ          液晶表示部
Ａ１        絵やキャラクタ部
Ａ２        １４セグメント部
Ｂ          駆動回路
【図１】
2004279744.tif 000003
【図２】
2004279744.tif 000004
【図３】
2004279744.tif 000005
【図４】
2004279744.tif 000006
【図５】
2004279744.tif 000007
【図６】
2004279744.tif 000008
【図７】
2004279744.tif 000009